(57)【要約】【課題】撮影用レンズの遠近およびフォーカスの調整を便利にすること。【解決手段】フレームと、二本の調整ウォームギヤと、メイン回転リングと、サブ回転リングと、底板と、二本の回転シャフトとを備え、メイン回転リングの外周壁には調整ウォームギヤのねじ溝に噛合可能なギヤ歯が形成されており、サブ回転リングは撮影用レンズのフォーカス調節回転リングに設けられるとともにメイン回転リングに隣接し、サブ回転リングの外周壁には調整ウォームギヤのねじ溝に噛合可能なギヤ歯が形成されている。【選択図】図１
0003137699.tif 000002
【実用新案登録請求の範囲】
【請求項１】
筐体を備え、筐体内部には撮影用レンズが設けられている監視ビデオカメラの自動絞りレンズの遠近およびフォーカス調整装置であって、
撮影用レンズの取り付け用であり、一方側の上端および底端には上部支持板および下部支持板がそれぞれ固設されており、上部支持板および下部支持板には対応する上部貫通穴および下部貫通穴が形成されているフレームと、
各々が上部貫通穴と下部貫通穴の間に挿設されており、壁面にはねじ溝が形成されている二本の調整ウォームギヤと、
撮影用レンズに設けられており、外周壁には調整ウォームギヤのねじ溝に噛合可能なギヤ歯が形成されているメイン回転リングと、
撮影用レンズに設けられるとともにメイン回転リングに隣接しており、外周壁には調整ウォームギヤのねじ溝に噛合可能なギヤ歯が形成されているサブ回転リングと、
筐体の底端を覆うとともに撮影用レンズの位置に対向しており、下部支持板の下部貫通穴に対応する位置に固定穴が形成されている底板と、
各々が底板の固定穴の位置に挿設されており、上端は調整ウォームギヤの底端に連結されており、底端には回転溝が形成されている二本の回転シャフトと、を備えたことを特徴とする、
監視ビデオカメラの自動絞りレンズの遠近およびフォーカス調整装置。
【請求項２】
調整ウォームギヤの底端には調整溝が形成されており、
回転シャフトの上端には調整ウォームギヤの調整溝に係合可能な突起部が設けられていることを特徴とする、請求項１に記載の監視ビデオカメラの自動絞りレンズの遠近およびフォーカス調整装置。
【請求項３】
メイン回転リングの外周壁には貫通穴が形成されており、貫通穴にはねじが設けられ、ねじは撮影用レンズに螺着されており、
サブ回転リングの外周壁には貫通穴が形成されており、貫通穴にはねじが設けられ、ねじは撮影用レンズに螺着されていることを特徴とする、請求項１または２に記載の監視ビデオカメラの自動絞りレンズの遠近およびフォーカス調整装置。
【請求項４】
回転シャフトの壁面には周回溝が形成されており、周回溝にはＣリングが設けられており、Ｃリングは底板の固定穴の穴の縁に当接されていることを特徴とする、請求項３に記載の監視ビデオカメラの自動絞りレンズの遠近およびフォーカス調整装置。
【請求項５】
回転シャフトの回転溝が一字状溝であることを特徴とする、請求項４に記載の監視ビデオカメラの自動絞りレンズの遠近およびフォーカス調整装置。
【請求項６】
回転シャフトの回転溝が十字状溝であることを特徴とする、請求項４に記載の監視ビデオカメラの自動絞りレンズの遠近およびフォーカス調整装置。
【請求項７】
回転シャフトの回転溝が多角形溝であることを特徴とする、請求項４に記載の監視ビデオカメラの自動絞りレンズの遠近およびフォーカス調整装置。
【請求項８】
筐体を備え、筐体内部には撮影用レンズが設けられている監視ビデオカメラの自動絞りレンズの遠近およびフォーカス調整装置であって、
撮影用レンズの取り付け用であり、一方側の上端には上部支持板が固設されており、上部支持板には上部貫通穴が形成されているフレームと、
撮影用レンズに設けられており、外周壁にはギヤ歯が形成されているメイン回転リングと、
撮影用レンズに設けられるとともにメイン回転リングに隣接しており、外周壁にはギヤ歯が形成されているサブ回転リングと、
筐体の底端を覆うとともに撮影用レンズの位置に対向しており、上部支持板の上部貫通穴に対応する位置に固定穴が形成されている底板と、
各々が上部支持板の上部貫通穴と底板の固定穴との間に挿設されており、壁面にはメイン回転リングのギヤ歯およびサブ回転リングのギヤ歯に噛合可能なねじ溝が形成されており、底端には回転溝が形成されている二本の回転シャフトと、を備えたことを特徴とする、
監視ビデオカメラの自動絞りレンズの遠近およびフォーカス調整装置。
【請求項９】
フレームにおける上部支持板が固設されている側の底端に下部支持板が固設されており、下部支持板には調整ウォームギヤを設けるための下部貫通穴が形成されていることを特徴とする、請求項８に記載の監視ビデオカメラの自動絞りレンズの遠近およびフォーカス調整装置。
【請求項１０】
メイン回転リングの外周壁には貫通穴が形成されており、貫通穴にはねじが設けられ、ねじは撮影用レンズに螺着されており、
サブ回転リングの外周壁には貫通穴が形成されており、貫通穴にはねじが設けられ、ねじは撮影用レンズに螺着されていることを特徴とする、請求項９に記載の監視ビデオカメラの自動絞りレンズの遠近およびフォーカス調整装置。
【請求項１１】
調整ウォームギヤの回転溝が一字状溝であることを特徴とする、請求項１０に記載の監視ビデオカメラの自動絞りレンズの遠近およびフォーカス調整装置。
【請求項１２】
調整ウォームギヤの回転溝が十字状溝であることを特徴とする、請求項１０に記載の監視ビデオカメラの自動絞りレンズの遠近およびフォーカス調整装置。
【請求項１３】
調整ウォームギヤの回転溝が多角形溝であることを特徴とする、請求項１０に記載の監視ビデオカメラの自動絞りレンズの遠近およびフォーカス調整装置。
【請求項１４】
回転ウォームギヤの壁面には周回溝が形成されており、周回溝にはＣリングが嵌着されており、Ｃリングは底板の固定穴の穴の縁に当接されていることを特徴とする、請求項１１、１２または１３に記載の監視ビデオカメラの自動絞りレンズの遠近およびフォーカス調整装置。
【請求項１５】
筐体を備え、筐体内部には撮影用レンズが設けられており、筐体の底端には貫通穴が形成されている監視ビデオカメラの自動絞りレンズの遠近およびフォーカス調整装置であって、
撮影用レンズの取り付け用であり、一方側の上端および下端には上部支持板が固設されており、上部支持板には上部貫通穴が形成されているフレームと、
撮影用レンズに設けられており、外周壁にはギヤ歯が形成されているメイン回転リングと、
撮影用レンズに設けられるとともにメイン回転リングに隣接しており、外周壁にはギヤ歯が形成されているサブ回転リングと、
筐体の底端を覆うとともに撮影用レンズの位置に対向しており、上部支持板の上部貫通穴に対応する位置に固定穴が形成されている底板と、
各々が上部支持板の上部貫通穴と底板の固定穴との間に挿設されており、壁面にはメイン回転リングのギヤ歯およびサブ回転リングのギヤ歯に噛合可能なねじ溝が形成されており、底端には回転溝が形成されている二本の調整ウォームギヤと、を備えたことを特徴とする、
監視ビデオカメラの自動絞りレンズの遠近およびフォーカス調整装置。
【請求項１６】
フレームにおける上部支持板が固設されている側の底端に下部支持板が固設されており、下部支持板には調整ウォームギヤを設けるための下部貫通穴が形成されていることを特徴とする、請求項１５に記載の監視ビデオカメラの自動絞りレンズの遠近およびフォーカス調整装置。
【請求項１７】
メイン回転リングの外周壁には貫通穴が形成されており、貫通穴にはねじが設けられ、ねじは撮影用レンズに螺着されており、
サブ回転リングの外周壁には貫通穴が形成されており、貫通穴にはねじが設けられ、ねじは撮影用レンズに螺着されていることを特徴とする、請求項１６に記載の監視ビデオカメラの自動絞りレンズの遠近およびフォーカス調整装置。
【請求項１８】
調整ウォームギヤの回転溝が一字状溝であることを特徴とする、請求項１７に記載の監視ビデオカメラの自動絞りレンズの遠近およびフォーカス調整装置。
【請求項１９】
調整ウォームギヤの回転溝が十字状溝であることを特徴とする、請求項１７に記載の監視ビデオカメラの自動絞りレンズの遠近およびフォーカス調整装置。
【請求項２０】
調整ウォームギヤの回転溝が多角形溝であることを特徴とする、請求項１７に記載の監視ビデオカメラの自動絞りレンズの遠近およびフォーカス調整装置。
【請求項２１】
回転ウォームギヤの壁面には周回溝が形成されており、周回溝にはＣリングが嵌着されており、Ｃリングは底板の固定穴の穴の縁に当接されていることを特徴とする、請求項１８、１９または２０に記載の監視ビデオカメラの自動絞りレンズの遠近およびフォーカス調整装置。
【考案の詳細な説明】
【技術分野】
【０００１】
本考案は監視ビデオカメラの自動絞りレンズの遠近およびフォーカス調整装置であって、撮影用レンズの遠近およびフォーカスを調整可能な調整装置に関するものである。
【背景技術】
【０００２】
従来の監視ビデオカメラは図８に示すように、筐体（４０）を備え、筐体（４０）の両端には前部開口（４１）および後部開口（４２）がそれぞれ設けられている。後部開口（４２）にはカバー（４３）が設けられ、前部開口（４１）にはレンズカバー（４４）が設けられるとともに、筐体（４０）内にはレンズカバー（４４）に隣接して撮影用レンズ（４５）が設けられている。
【０００３】
この監視ビデオカメラは適切な位置に設置されるとともに、撮影用レンズ（４５）の遠近およびフォーカスの回転リングを最適な撮影位置に調整している。
【０００４】
しかしながら、監視ビデオカメラは大半、高所に設置されるとともに、撮影用レンズ（４５）の遠近および絞りの回転リングを調整するにあたっては、まずレンズカバー（４４）を取り外し、そして作業者が前部開口（４１）から筐体（４０）内に手を差し入れて、撮影用レンズ（４５）の遠近およびフォーカスの回転リングを調整している。
【０００５】
撮影用レンズ（４５）と筐体（４０）との間にはわずかな隙間があるのみで、高所にいる作業者が撮影用レンズ（４５）の遠近およびフォーカスの回転リングを調整する場合、困難が多く、しかも撮影用レンズ（４５）の遠近およびフォーカスを再度調整しなければならないときには、その難度は高くなってしまう。よって従来の監視ビデオカメラには調整において困難が伴っていた。
【考案の開示】
【考案が解決しようとする課題】
【０００６】
本考案は前記した従来技術における技術面での不具合に鑑みて成されたもので、本考案は撮影用レンズの遠近およびフォーカスを調整するのに便利な監視ビデオカメラの自動絞りレンズの遠近およびフォーカス調整装置を提供することを目的とする。
【課題を解決するための手段】
【０００７】
上記考案の目的を達成するために、本考案で採用した技術手段とは、監視ビデオカメラの自動絞りレンズの遠近およびフォーカス調整装置を設計するものであって、前記監視ビデオカメラは筐体を備え、筐体内部には撮影用レンズが設けられており、前記調整装置はフレームと、二本の調整ウォームギヤと、メイン回転リングと、サブ回転リングと、底板と、二本の回転シャフトとを備えており、フレームは撮影用レンズの取り付け用であり、フレームの一方側の上端および底端には上部支持板および下部支持板がそれぞれ固設されており、上部支持板および下部支持板には対応する上部貫通穴および下部貫通穴が形成されており、各調整ウォームギヤは上部貫通穴と下部貫通穴の間に挿設されており、調整ウォームギヤの壁面にはねじ溝が形成されており、メイン回転リングは撮影用レンズの遠近調節回転リングに設けられており、メイン回転リングの外周壁には調整ウォームギヤのねじ溝に噛合可能なギヤ歯が形成されており、サブ回転リングは撮影用レンズのフォーカス調整回転リングに設けられるとともにメイン回転リングに隣接しており、サブ回転リングの外周壁には調整ウォームギヤのねじ溝に噛合可能なギヤ歯が形成されており、底板は筐体の底端を覆うとともに撮影用レンズの位置に対向しており、底板は下部支持板の下部貫通穴に対応する位置に固定穴が形成されており、各回転シャフトは底板の固定穴の位置に挿設されており、回転シャフトの上端は調整ウォームギヤの底端に連結されており、回転シャフトの底端には回転溝が形成されている。
【考案の効果】
【０００８】
本考案は、監視ビデオカメラが適切な位置に設置されるとき、回転シャフトの回転により、調整ウォームギヤも連動して回転するので、メイン回転リングまたはサブ回転リングもまた連動して回転することで、撮影用レンズの遠近およびフォーカスが調整される。
このような調整方式により、撮影用レンズの調整の難度もこれに伴って低くなるので、作業者は撮影用レンズを所望の遠近またはフォーカスに調整しやすくなる。
【考案を実施するための最良の形態】
【０００９】
本考案は監視ビデオカメラの自動絞りレンズの遠近およびフォーカス調整装置である。
図１および図２に基づいて本考案の第１の実施形態について説明する。
前記監視ビデオカメラは筐体（１０）を備える。
筐体（１０）内部には撮影用レンズ（１１）が設けられている。
撮影用レンズ（１１）は遠近調整回転リング（１１１）とフォーカス調整回転リング（１１２）とを備えている。
本調整装置はフレーム（２０）と、二本の調整ウォームギヤ（２３）と、メイン回転リング（２４）と、サブ回転リング（２５）と、底板（２６）と、二本の回転シャフト（２７）とを備えている。
【００１０】
フレーム（２０）は筐体（１０）内に設けられ、フレーム（２０）は撮影用レンズ（１１）の取り付け用である。
フレーム（２０）の一方側の上端および底端には上部支持板（２１）および下部支持板（２２）がそれぞれ固設されている。
上部支持板（２１）および下部支持板（２２）には対応する上部貫通穴（２１１）および下部貫通穴（２２１）が形成されている。
【００１１】
各調整ウォームギヤ（２３）は上部貫通穴（２１１）と下部貫通穴（２２１）との間に挿設されており、調整ウォームギヤ（２３）の上端および下端は上部貫通穴（２１１）および下部貫通穴（２２１）の穴の縁にそれぞれ当接されている。
調整ウォームギヤ（２３）の壁面にはねじ溝（２３１）が形成されている。図３を併せて参照すると、別途調整ウォームギヤ（２３）の底端に調整溝（２３２）が形成されており、この実施形態においては、調整溝（２３２）は一字状溝である。
【００１２】
メイン回転リング（２４）はその内側リングが撮影用レンズ（１１）の遠近調整回転リング（１１１）を挿設するためのものである。
メイン回転リング（２４）の外周壁には貫通穴（２４１）が形成されており、ねじ（図示せず）が貫通穴（２４１）を貫通するとともに、撮影用レンズ（１１）の遠近調整回転リング（１１１）に螺着されることで、メイン回転リング（２４）を撮影用レンズ（１１）の遠近調整回転リング（１１１）の位置に固定している。
図４および図５を併せて参照すると、メイン回転リング（２４）の外周壁には調整ウォームギヤ（２３）のねじ溝（２３１）に噛合可能なギヤ歯（２４２）が形成されている。
【００１３】
サブ回転リング（２５）は撮影用レンズ（１１）のフォーカス調整回転リング（１１２）に装着されるとともにメイン回転リング（２４）に隣接しており、サブ回転リング（２５）の外周壁には貫通穴（２５１）が形成されており、ねじ（図示せず）が貫通穴（２５１）を貫通するとともに、撮影用レンズ（１１）のフォーカス調整回転リング（１１２）に螺着されることで、サブ回転リング（２５）を撮影用レンズ（１１）のフォーカス調整回転リング（１１２）の位置に固定している。
サブ回転リング（２５）の外周壁には調整ウォームギヤ（２３）のねじ溝（２３１）に噛合可能なギヤ歯（２５２）が形成されている。
【００１４】
底板（２６）は筐体（１０）の底端を覆うとともに撮影用レンズ（１１）に対向しており、底板（２６）は下部支持板（２２）の下部貫通穴（２２１）に対応する位置に固定穴（２６１）が形成されている。
【００１５】
各回転シャフト（２７）は底板（２６）の固定穴（２６１）の位置に挿設されている。
回転シャフト（２７）の上端には調整ウォームギヤ（２３）の調整溝（２３２）に係合可能な突起部（２７１）が設けられている。
回転シャフト（２７）の壁面には周回溝（２７２）が形成され、Ｃリング（２７４）が周回溝（２７２）に嵌着されている。
Ｃリング（２７４）は底板（２６）の固定穴（２６１）の穴の縁に当接することで、回転シャフト（２７）が固定穴（２６１）から外れることをなくしている。
回転シャフト（２７）の底端には回転溝（２７３）が形成されており、回転溝（２７３）は一字状溝、十字状溝または多角形溝とすることができる。
【００１６】
監視ビデオカメラを適切な位置に設置する場合、作業者は例えばプラスドライバー、マイナスドライバーまたは多角レンチなどの調整工具を、回転シャフト（２７）の回転溝（２７３）に挿入することで、回転シャフト（２７）を回転させることができる。
回転シャフト（２７）が回転すると、調整ウォームギヤ（２６）も連動して回転する。そしてメイン回転リング（２４）のギヤ歯（２４２）およびサブ回転リング（２５）のギヤ歯（２５２）が調整ウォームギヤ（２３）のねじ溝（２３１）に噛合しているので、メイン回転リング（２４）またはサブ回転リング（２５）が連動して回転する。
メイン回転リング（２４）またはサブ回転リング（２５）が回転されると、撮影用レンズ（１１）の遠近調整回転リング（１１１）またはフォーカス調整回転リング（１１２）も連動して回転されるので、撮影用レンズの遠近およびフォーカスを調整することができる。
【００１７】
上記の構造のように、監視ビデオカメラを適切な位置に設置するとき、ハンドツールで回転シャフト（２７）を回転することで、撮影用レンズ（１１）の遠近およびフォーカスを調整できる。
回転シャフト（２７）を回転させるだけで、調整の作業が完了するので、撮影用レンズの遠近およびフォーカスの調整がかなり簡単になり、作業者にとっては、撮影用レンズ（１１）を調整する難度もこれに伴って低くなる。
【００１８】
本考案の第２の実施形態について図６を併せて参照されたい。
これは図１の調整ウォームギヤ（２３）に変更を施したものである。
このうち構造は第１の実施形態と同じであるが、回転ウォームギヤ（３１）がフレーム（３０）の上部支持板（３３）の上部貫通穴と下部支持板（３３１）の下部貫通穴との間に挿設されるとともに、回転ウォームギヤ（３１）の底端が底板（３２）の固定穴（３２１）内に延在しており、その底端に直径が固定穴（３２１）の直径以下の挿入端が形成されているか、または回転ウォームギヤ（３１）の壁面に周回溝（図示せず）が形成され、周回溝にはＣリングが嵌着されている。
Ｃリングは底板（３２）の固定穴（３２１）の穴の縁に当接されることで、回転ウォームギヤ（３１）を底板（３２）と上部支持板（３３）との間に設ける。
そして回転ウォームギヤ（３１）の底端には回転溝（３１１）が形成されている。
回転溝（３１１）は多角形溝、一字状溝または十字状溝とすることができるので、ハンドツールを回転溝（３１１）に挿入して回転させたとき、メイン回転リング（３４）またはサブ回転リングも連動して回転して、撮影用レンズ（３５）の遠近およびフォーカスが調整される。
【００１９】
本考案の第３の実施形態について図７を併せて参照されたい。これは筐体（１０Ａ）および回転ウォームギヤ（３１Ａ）に変更を施したものである。このうち筐体（１０Ａ）の底端でフレーム（３０Ａ）の下部支持板（３３１Ａ）の貫通穴に対応する位置に貫通穴（１１Ａ）が形成されているので、フレーム（３０Ａ）の上部支持板（３３Ａ）と下部支持板（３３１）との間に設けられている回転ウォームギヤ（３１Ａ）は、その底端がこの貫通穴（１１Ａ）内に延在しており、この延出端の直径が貫通穴（１１Ａ）の直径未満である。しかも回転ウォームギヤ（３１Ａ）の壁面には周回溝（図示せず）が形成され、周回溝にはＣリングが嵌着されており、Ｃリングは貫通穴（１１Ａ）の穴の縁に当接する。ところでメイン回転リング（３４Ａ）またはサブ回転リングを回転する方式、および撮影用レンズ（３５Ａ）の遠近およびフォーカスを調整する方式は上記と同じなので、別途説明はしない。
【図面の簡単な説明】
【００２０】
【図１】本考案の第１の実施形態の立体分解図である。
【図２】本考案を導入した監視ビデオカメラの立体外観図である。
【図３】本考案の第１の実施形態の正面図である。
【図４】本考案の第１の実施形態の立体外観図である。
【図５】本考案の第１の実施形態の平面図である。
【図６】本考案の第２の実施形態の正面断面図である。
【図７】本考案の第３の実施形態の正面断面図である。
【図８】従来の監視ビデオカメラの断面図である。
【符号の説明】
【００２１】
（１０）  筐体
（１１）  撮影用レンズ
（１１１）  遠近調整回転リング
（１１２）  フォーカス調整回転リング
（２０）  フレーム
（２１）  上部支持板
（２１１）  上部貫通穴
（２２）  下部支持板
（２２１）  下部貫通穴
（２３）  調整ウォームギヤ
（２３１）  ねじ溝
（２３２）  調整溝
（２４）  メイン回転リング
（２４１）  貫通穴
（２４２）  ギヤ歯
（２５）  サブ回転リング
（２５１）  貫通穴
（２５２）  ギヤ歯
（２６）  底板
（２６１）  固定穴
（２７）  回転シャフト
（２７１）  突起部
（２７２）  周回溝
（２７３）  回転溝
（２７４）  Ｃリング
（３０）  フレーム
（３１）  回転ウォームギヤ
（３１１）  回転溝
（３２）  底板
（３２１）  固定穴
（３３）  上部支持板
（３３１）  下部支持板
（３４）  メイン回転リング
（３５）  撮影用レンズ
（１０Ａ）  筐体
（１１Ａ）  貫通穴
（３０Ａ）  フレーム
（３１Ａ）  回転ウォームギヤ
（３３Ａ）  上部支持板
（３３１Ａ）  下部支持板
（３４Ａ）  メイン回転リング
（３５Ａ）  撮影用レンズ
（４０）  筐体
（４１）  前部開口
（４２）  後部開口
（４３）  カバー
（４４）  レンズカバー
（４５）  撮影用レンズ
【図１】
0003137699.tif 000003
【図２】
0003137699.tif 000004
【図３】
0003137699.tif 000005
【図４】
0003137699.tif 000006
【図５】
0003137699.tif 000007
【図６】
0003137699.tif 000008
【図７】
0003137699.tif 000009
【図８】
0003137699.tif 000010